(57)【要約】  掛け機のための統合型バンドシュート開放装置を備えた迅速アクセスガイドが開示され、その中でバンドシュート分離装置はフレームと、該フレームに取付けられたバンドシュートを有する。バンドシュートは、少なくとも１つの可動壁（３０）に協働する、少なくとも１つの固定壁（２８）を具備する。第１の位置では、これら壁は閉じられて、バンドシュートを介したバンド経路（２２）を画成する。第２の位置では、可動壁はバンド経路を分離させてこれを開く。ハンドル（１６）は、カム（１８）を使ってシュートを開くために回転する。バンド経路へのアクセスを可能にするために、ガイドアーム（３４）もまた、ハンドルの回転で回転する。
2011507770.tif 000002
【特許請求の範囲】
【請求項１】
荷物の周りにバンド材料を供給してこれを位置決めし、張力を印加し、接合するバンド掛け機のための統合型バンドシュート開放装置付き迅速アクセスガイドにおいて、
前記バンド掛け機は、フレームと、該フレームに取付けられたバンドシュートとを有しており、
前記バンドシュートは、バンドシュートを介したバンド経路を画成するため、少なくとも１つの可動壁に協働する少なくとも１つの固定壁を備え、前記バンドシュートを介してバンド材料が運ばれ、バンドシュートからバンド材料が荷物上へと引かれ、
前記バンド掛け機は、バンド材料を前記バンドシュートへと運ぶバンドガイドを備えており、該バンドガイドは、固定部分と、該固定部分に接近離反可能で前記バンドガイドを開閉する可動部分とを備えており、
前記開放装置は、
前記バンドシュートの可動壁に取付けられたカム面と、
前記バンドガイドの可動部分に動作可能に連結されたハンドルと、
前記ハンドルとバンドガイドの可動部分に動作可能に取付けられ、その上にカムプレート要素を有するカムプレートと、
前記バンドガイドの可動部分に取付けられ、前記カムプレートに係合可能なガイドピンとを具備し、
前記ハンドルは、その位置で前記カムプレート要素が前記カム面との係合が解除され、前記バンドガイドが閉じられかつ前記バンドシュートも閉じられるような第１の位置から、その位置で前記カム要素がカム面と係合して前記バンドシュートの可動壁をバンドシュートの固定壁から離反させるような第２の位置へ、さらにその位置でカム要素が前記カム面との係合状態が維持されかつカムプレートが前記ガイドピンと係合して前記バンドガイドを動かし、これを開放するような第３の位置へと移動可能であることを特徴とする迅速アクセスガイド。
【請求項２】
前記ハンドルが前記第１の位置、第２の位置、および前記第３の位置を通り、連続して可動であることを特徴とする請求項１に記載の開放装置。
【請求項３】
前記ガイドピンは前記カムプレートの長穴状の開口部内に配置され、可動ガイドを開放位置に移動させるために前記ガイドピンは前記長穴状の開口部の端部に係合することを特徴とする請求項１に記載の開放装置。
【請求項４】
前記ハンドルから独立して、前記カムプレートがハンドル軸周りで回転可能であることを特徴とする請求項１に記載の開放装置。
【請求項５】
前記ガイドピンは、前記長穴状の開口部を通って延びるボルトであって、更に前記カムプレートへの摩擦力を保持するための付勢要素を備えることを特徴とする請求項３に記載の開放装置。
【請求項６】
前記付勢要素はバネであることを特徴とする請求項５に記載の開放装置。
【請求項７】
前記バネはバネ座金であることを特徴とする請求項５に記載の開放装置。
【請求項８】
カムプレート要素は取付カムであることを特徴とする請求項１に記載の開放装置。
【請求項９】
２個のカムプレート要素があることを特徴とする請求項１に記載の開放装置。
【請求項１０】
前記２個のカム要素は取付カムであることを特徴とする請求項９に記載の開放装置。
【請求項１１】
前記カム要素は傾斜面であることを特徴とする請求項１に記載の開放装置。
【請求項１２】
前記カム要素は前記カムプレートに埋め込まれたピンであることを特徴とする請求項１に記載の開放装置。
【請求項１３】
前記傾斜面は前記カムプレートの端縁部に沿って延びることを特徴とする請求項１１に記載の開放装置。
【請求項１４】
荷物の周りにバンド材料を供給してこれを位置決めし、更に引張り、荷物の周りにバンド材料を閉じるタイプのバンド掛け機において、
フレームと、
前記フレームに取付けられたバンドシュートであって、バンドシュートを介したバンド経路を画成するため、少なくとも１つの可動壁に協働する少なくとも１つの固定壁を備え、前記バンドシュートを介してバンド材料が運ばれ、バンドシュートからバンド材料が荷物上へと引かれ、前記バンドシュートの可動壁はその上に取付けられたカム面を有するバンドシュートと、
バンド材料を前記バンドシュートへと運ぶバンドガイドであって、固定部分と、該固定部分に対し接近、離反してバンドガイドを開閉する可動部分とを有する前記バンドガイドと、
迅速アクセスガイドであって、前記バンドガイドの可動部分に動作可能に連結されたハンドルと、前記ハンドルとバンドガイドの可動部分に動作可能に取付けられその上にカムプレート要素を有するカムプレートと、前記バンドガイドの可動部分に取付けられ前記カムプレートに係合可能なガイドピンとを有し、前記ハンドルは、その位置で前記カムプレート要素が前記カム面との係合が解除され、前記バンドガイドが閉じられかつ前記バンドシュートも閉じられるような第１の位置から、その位置で前記カム要素がカム面と係合して前記バンドシュートの可動壁をバンドシュートの固定壁から離反させるような第２の位置へ、さらにその位置でカム要素が前記カム面との係合状態が維持されかつカムプレートが前記ガイドピンと係合して前記バンドガイドを動かし、これを開放するような第３の位置へと移動可能であるような統合型バンドシュート開放装置付き迅速アクセスガイドとを具備することを特徴とするバンド掛け機。
【請求項１５】
前記ハンドルが前記第１の位置、第２の位置、および前記第３の位置を通り、連続して可動であることを特徴とする請求項１４に記載のバンド掛け機。
【請求項１６】
前記ガイドピンは前記カムプレートの長穴状の開口部内に配置され、可動ガイドを開放位置に移動させるために前記ガイドピンは前記長穴状の開口部の端部に係合することを特徴とする請求項１４に記載のバンド掛け機。
【請求項１７】
前記ガイドピンは、前記長穴状の開口部を通って延びるボルトであって、更に前記カムプレートへの摩擦力を保持するため、前記ボルトとカムプレートの間に配置されたバネ座金を備えることを特徴とする請求項１５に記載のバンド掛け機。
【請求項１８】
カム要素は取付カムであることを特徴とする請求項１４に記載のバンド掛け機。
【請求項１９】
２個のカム要素が備えることを特徴とする請求項１４に記載のバンド掛け機。
【請求項２０】
前記カムプレート要素は前記カムプレートに埋め込まれた固定ピンであることを特徴とする請求項１４に記載のバンド掛け機。
【発明の詳細な説明】
【技術分野】
【０００１】
本発明はバンドシュート開放装置に関し、特に、本発明は統合型シュート開放装置を備えた迅速アクセスガイドに関する。
【背景技術】
【０００２】
荷物の周りにバンドを固定するため、バンド掛け機が広く使用されている。既知のバンド掛け機の代表的なものは、フレーム内に取付けられたバンド掛けヘッドと駆動機構を備えている。シュートはフレームに取付けられ、バンド材料はこのシュートを通して供給される。
【０００３】
例えば、バンドガイドや給送領域などの機械の各領域にアクセスするために、バンドシュートを開放したり、開いた状態で保持することが往々にして必要である。これはまた、バンド掛けに失敗したバンドを取り除くために、或いは、バンド掛けヘッドや接合ヘッドを清掃するため、若しくは、機械の一般保守や修理のためにも必要となろう。接合ヘッドや、その近傍において、バンドシュートを動かしたり拡開したりすることでバンドの経路にアクセスすることが頻繁に必要となる。
【０００４】
これまでのバンドシュート開放装置は、バンドガイドに堅固に取付けられたハンドルを備える。バンドシュートは、フックや「ウォークアップ」を使用するか、或いは「パススルー」を使用する外部手段であって、テーブルトップが閉じられた際にはバネ駆動レバーが押し下げられるような外部手段によって開放されることになるだろう。現在のシュート開放装置は、如何なる保守作業であっても、バンドの経路にアクセスして、それを実行するためには、機械を保守モードに置くための詳細な機械知識を必要とする。
【発明の概要】
【発明が解決しようとする課題】
【０００５】
従って、バンド掛け機では、装置を保守モードに置くための複雑なステップを必要とせずバンド経路への迅速アクセスを可能にするような装置の必要性がある。また、そのような迅速アクセス機構は、操作が簡単で、かつ、比較的少ない部品と段階とを含むことが好ましい。より好ましくは、装置は、保守モードに装置を置くか装置を通常動作に戻すにあたって、バンド掛け機に関する詳細な知識を必要としない。
【課題を解決するための手段】
【０００６】
ここにバンド掛け機のための迅速アクセスガイドを備えた統合型バンドシュート開放装置が開示される。バンド掛け機は、フレームと、該フレームに取付けられたバンドシュートを有する。バンドシュートは、少なくとも１つの可動壁と協働する少なくとも１つの固定壁を具備する。第１の位置では、これら壁は閉じられてバンドシュートを貫通するバンド経路を形成する。第２の位置では前記可動壁はバンド経路を分離、開放する。ハンドルは、少なくとも３つの位置において位置決め可能であり、該ハンドルを回転させることでカムやカム面を使ってバンドシュートが開く。ガイドアームもまた、ハンドル動作によって開放され、バンド経路へのアクセスが可能となる。
【図面の簡単な説明】
【０００７】
【図１】本発明の原理を具現化する迅速アクセスガイド付き統合型バンドシュート開放装置の斜視図であって、迅速アクセスガイドのハンドルが第１の位置にある状態を示す図である。
【図２】第１の位置にあるハンドルを示す側面図である。
【図３】第１の位置にあるハンドルを示す斜視図である。
【図４】ハンドルが第２の位置にあるシュート開放装置の斜視図である。
【図５】第２の位置にあるハンドルを示す側面図である。
【図６】第２の位置にあるハンドルを示す斜視図である。
【図７】第３の位置にあるハンドルを示す斜視図である。
【図８】第３の位置にあるハンドルを示す側面図である。
【図９】第３の位置にあるハンドルを示す斜視図である。
【図１０】ハンドルが第１の位置にある迅速アクセスガイド付きシュート開放装置の代替実施形態の斜視図である。
【図１１】ハンドルが第２の位置にある前記代替実施形態の斜視図である。
【図１２】ハンドルが第３の位置にある前記代替実施形態の斜視図である。
【発明を実施するための形態】
【０００８】
本発明の利点と長所は以下の詳述と添付図面を見直すことで当業者にとってはより容易に明確なものとなるであろう。
【０００９】
本発明は様々な形の実施形態を許容するものであるが、本開示が本発明の例示であると解釈し、例証された特定実施形態に対しては本発明を限定する意図がないこと理解された上で、現在好ましいとされる実施形態を以下に記述する。
【００１０】
更に、本明細書の該項目での表題、即ち「発明の詳細な説明」は米国特許庁の要件に関連するものであり、ここに開示される主題を示唆するものでもなく、また、同主題を限定するために推論されるべきものでもない。
【００１１】
図面、特に図１を参照すると、そこには本発明の原理を具現化する迅速アクセスガイド機構１０を備えたバンド掛け機が概略的に示されている。このバンド掛け機は、荷物の周りにバンド材料を供給し、該荷物の周りでバンド材料を位置決めし、張力を付与し、そして接合するタイプのバンド掛け機である。該バンド掛け機は、荷物の周りにバンドを輸送し、そして該バンド材料Ｓを解放するためのバンドシュート１４を備える。
【００１２】
バンド掛け機は、一般に、フレーム１２とバンドシュート１４とを備えている。迅速アクセスガイドシュート開放装置１０は、迅速アクセスハンドル１６、カム１８およびカムセクション２０を備えている。下方バンドガイド３２および上方バンドガイド３４が、供給システムの一部分を構成する。バンド供給機またはディスペンサ（図示せず）が、バンド材料Ｓをバンド掛け機に供給する。巻取機２４と送りリール２６が、バンドＳを送り込んだり引っ込めたり、バンド掛け機の作動中においてバンドＳの張力を調整したりする。
【００１３】
バンドシュート１４は、該バンドシュート１４を通ってバンドを運ぶための軌道を画成する固定壁２８と可動内壁３０から成るシュートフレーム１３を有して形成される。内壁３０は固定壁２８に対し可動となっている。内壁３０はバンドシュート２２の作動位置と解放位置の間の長手軸に平行である。固定壁２８はバンドシュート２２の作動位置と解放位置の間の長手軸を横断する。内壁３０は付勢された状態でシュートフレーム１３に取付けられる。
【００１４】
ストラップまたはバンド材料Ｓが移動するバンド経路２２は、部分的に固定壁部分２８と可動内壁部分３０によって形成され、それらの壁間に存在する。本迅速アクセスガイドでは、バンド経路２２は拡開し、ユーザが、例えばバンド掛けヘッドやガイド３２、３４の領域などの経路２２下方にある機械の他の領域、および、バンド経路２２にもアクセス可能となっている。バンド経路２２の間隔を広くするために、可動部分３０は、迅速アクセスハンドル１６およびカムセクション２０を作動させて、バンド経路２２の面を横断して固定部分２８から離反する。
【００１５】
バンド経路２２は更に、固定された下方ガイドアーム３２に対し移動自在の上方ガイドアーム３４によって形成される。図１、４に夫々に示すように、ハンドル１６が第１の位置と第２の位置にある時、移動自在の上方ガイドアーム３４は、固定された下方ガイドアーム３２の上に載置される。上方ガイドアームまたはその一部３４は、給送ホイール２６の上に配置され、それが（下方ガイドアーム３２に対し）閉じられると、機械（バンド掛けヘッドおよびバンドシュート）に送られるバンドのための経路が形成される。アーム３２、３４間の空間へのアクセスや、給送ホイール２６の内外の領域へのアクセスが必要となることもあろう。
【００１６】
迅速アクセスハンドル１６によって、バンドシュートを開き、アーム３２、３４間の空間と給送ホイール２６の周りの領域へのアクセスが可能となる。迅速アクセスハンドル１４は、カム面２０と固定ピンまたはカムローラー２１を用いてシュート１４を開く。固定ピンまたはカムローラー２１はカムプレート１８上に配設されており、カム面２０はシュートの可動部分３０に取付けられている。迅速アクセスハンドル１６に取付けられたカムプレート１８が回転すると、カムローラー２１がカム面２０に対して付勢される。カムプレート１８とハンドル１６は、座金、本例ではバネ座金４０によってガイド３４に取付けられ、ガイド３４に対して摺動するスラスト座金４２を押圧している。シュート１４は、ガイド３４が障害なく上方に回転できる程度に充分遠位で開放する。
【００１７】
図１〜図３に示すように、ハンドル１６が第１の位置に配置されると、バンド経路２２が閉じられ、可動部分３０が固定部分２８に隣接、接近し、そして上方ガイドアーム３４は稼働して可動部分３０の下に配置される。ピン３８は、長穴状の開口部３６内で第１のピン位置に配置されている。これは機械の通常の作動位置である。
【００１８】
図４〜図７において、迅速アクセスハンドル１６は第２の位置へ回転される。カムプレート１８が迅速アクセスハンドル１６と共に移動し、ピン３８は長穴状の開口部３６内で第２のピン位置へ向けて摺動する。カムローラー２１はカム２０の下側、バンドシュート２２の可動部分３０と固定部分２８の間を摺動する。カムセクション２０による可動部分３０へのカム作用によって、バンド経路２２は開いた状態へ押圧される。可動部分３０は、バンド経路２２の面を横切る方向に固定部分２８から離反し、可動部分３０と固定部分２８の間の間隔が開く。上方ガイドアーム３４は、もはや可動部分３０によって抑制されないが、迅速アクセスハンドル１６が第２の位置にある時には、下方または閉鎖位置にとどまる。
【００１９】
迅速アクセスハンドル１６が第２の位置にあるとき、上方ガイドアーム３４の動作はもはや可動壁部分３０によって妨げられない。図３に示すように、迅速アクセスハンドル１６が第２の位置から第３の位置へと回転、移動すると、カムプレート１８もまた同様に回転する。迅速アクセスハンドル１６が第２の位置から第３の位置へと回転すると、ピン３８は、カム１８の長穴状の開口部３６に沿った更なる摺動が抑制される。上方ガイドアーム３４に固定され長穴状の開口部３６内をそれ以上摺動できなくなったピン３８は、長穴状の開口部３６の端部３５に係合し、これによって、上方ガイドアーム３４は、ハンドル１６の第２の位置から第３の位置への移動に伴って、迅速アクセスハンドル１６と共に移動する。これにより上方ガイドアーム３４は直立（開放）位置へと回転する。同時に、可動部分３０が固定部分２８から分離、離反し、バンド経路２２が開放または拡開した状態で保持されるように、カムプレート１８が保持される。バンド経路２２を拡開し、上方ガイドアーム３４を上昇させることで、バンド掛けヘッドと給送ホイール２６を含むバンド経路２２とガイドアーム３２、３４の領域がユーザにとってアクセスしやすくなる。
【００２０】
迅速アクセスハンドル１６が十分に持ち上げられると、カムプレート１８の長穴３６はガイド３４の肩ボルトまたはガイドピン３８に対し当接する。肩ボルトまたはガイドピン３８が係合し、位置３でハンドル１６が十分開いた状態になると、図７〜図９に示すように、迅速アクセスガイド３４は開いた状態へ引張られる。
【００２１】
バンド掛け機は、バンド経路２２を閉じて容易に作動形態に戻すことができる。ハンドル１６を閉じる際、つまり、位置３から位置１へ移動すると、ガイドピン３８は、長穴状の開口部３６の反対側の端部３７に接触する。皿座金４０とハンドル１６の間には、ガイド３４がハンドル１６と共に移動する程の十分な抗力が生じる。ハンドルが、図４〜図７に示すように、固定壁２８と可動壁３０との間の隙間において第２の位置に至るまで、ガイド３４はハンドル１６と共に移動する。ハンドル１６が更に回転すると、カムセクション２０および可動シュート部分３０が移動して、カムプレート１８との係合から離脱し、カムプレート１８の長穴状の開口部３６が肩ボルト３８に対して押圧され、ガイド３４が、図１〜図３に示すような閉鎖位置、つまり通常の作動位置である位置１へと移動する。シュートの可動部分３０のバネ力によりバンドシュート１２は閉じ、同シュートは通常の作動位置である位置１に配置される。ハンドル１６の動作は、小刻みな動作であっても、１つの円滑な動きであっても良い。重要な点は、バンド掛け機を保守モードから通常の作動形態に戻すにあたって、機械の変態に関する如何なる詳細な知識も必要としないことである。
【００２２】
他の実施形態では、図１０〜図１２に示すように、シュートフレーム１１３と、巻取機１２４とを具備している。カムプレート１１８およびハンドル１１６は、機械に対し回動自在に取付けられている。カムは、ガイドアーム１３４の側部に取付けることができる。カムプレート１１８には長穴状の開口部１３６が形成されている。長穴状の開口部１３６は上方アーム１３４に連結されたピンまたはボルト１３８と係合する。カムセクション１２０は、カムプレート１１８の端縁部に沿って配置され、楔状の面または斜面が形成されている。カムセクション１２０は、バンド経路１２２が開放、拡張する際に可動部分１３０が乗上げる経路を形成する斜面を有している。ハンドル１１６は、バンド経路１２２の開放、拡張を操作すると共に、第１の実施形態と同様に３段階の動作を用いて上方ガイドアーム１３４の上昇、下降を操作する。
【００２３】
第１の位置では、ハンドル１１６と上方ガイド部分１３４は下方にあり、バンド経路１２２は閉じられている。ハンドル１１６が図１０に示す第１の位置から図１１に示す第２の位置へと移動する間、カムプレート１１８は回転し、カム面１２０が固定壁１２８と可動壁１３０との間を移動し、可動壁１３０と固定壁１２８との空間が拡開する。第２の位置では、上方ガイド部分１３４がまだ閉じられた状態、つまり下方位置にある。
【００２４】
図１２に示すように、迅速アクセスハンドル１１６が第２の位置から第３の位置へと回転、移動すると、カムプレート１１８もまた同様に回転する。迅速アクセスハンドル１１６が第２の位置から第３の位置へと回転すると、ピン３８は、カム１８の長穴状の開口部３６に沿った更なる摺動が抑制される。上方ガイドアーム１３４に固定され長穴状の開口部１３６内をそれ以上摺動できなくなったピン１３８は、長穴状の開口部１３６の端部１３５に係合し、これによって、上方ガイドアーム１３４は、ハンドル１１６の第２の位置から第３の位置への移動に伴って、迅速アクセスハンドル１１６と共に移動する。これにより上方ガイドアーム１３４は直立（開放）位置へと回転する。同時に、可動部分１３０が固定部分１２８から分離、離反し、バンド経路１２２が開放または拡開した状態で保持されるように、カムプレート１１８が保持される。バンド経路１２２を拡開し、上方ガイドアーム１３４を上昇させることで、バンド掛けヘッドと給送ホイール１２６を含むバンド経路１２２とガイドアーム１３２、１３４の領域がユーザにとってアクセスしやすくなる。
【００２５】
バンド掛け機は、バンド経路１２２を閉じて容易に作動形態に戻すことができる。現在、第３の位置にあるハンドル１１６を第２の位置へと回転、移動し、上方ガイドアーム１３４を元の位置へと下げ、下方ガイドアーム１３２上に載せる。ハンドル１１６を閉じる際、ガイドピン１３８は、長穴状の開口部１３６の反対側の端部１３７に接触し、ガイド１３４がハンドル１１６と共に移動する程の十分な抗力が生じる。ハンドルが、図１１に示すように、固定壁１２８と可動壁１３０との間の隙間において第２の位置に至るまで、ガイド１３４はハンドル１６と共に移動する。ハンドル１１６が更に回転すると、カムセクション１２０および可動シュート部分１３０が移動して、カムプレート１１８との係合から離脱する。シュートの可動部分１３０のバネ力によりバンドシュート１１２は閉じ、図１０に示すように、同シュートは通常の作動位置である位置１に配置される。
【００２６】
ハンドル１１６を第１の位置に戻すことで、バンド掛け機は通常作動が再開できるようになる。ハンドル１１６の動作は、小刻みな動作であっても、１つの円滑な動きであっても良い。重要な点は、バンド掛け機を保守モードから通常の作動形態に戻すにあたって、機械の変態に関する如何なる詳細な知識も必要としないことである。
【００２７】
本開示の本文中に明確になされているか否かに関係なく、ここで引用された全ての特許が、参照によってここに援用される。
【００２８】
本開示中において、単語「a」や「an」は単数と複数の双方を意味を含んでいるものと捉えるべきである。逆に、いかなる複数の品目の参照も、必要に応じて単数の意味をも含むことがある。
【００２９】
以上の説明により、本発明の新概念の真の趣旨と範囲から逸脱することなく、様々な変更と変化を実行することができる。例証された特定実施形態に関してはこれに限定することを意図してはおらず、あるいは推論されるべきではないと理解されるべきである。本開示は、すべての変更が請求の範囲内に含まれるような付加クレームによってカバーすることを目的とする。
【符号の説明】
【００３０】
１０    迅速アクセスガイド機構（迅速アクセスガイドシュート開放装置）
１２    フレーム
１３    シュートフレーム
１４    バンドシュート
１６    迅速アクセスハンドル
１８    カム
２０    カムセクション
２２    バンド経路
２４    巻取機
２６    送りリール
２８    固定壁部分（固定部分）
３０    内壁（可動内壁部分、可動部分）
３２    下方バンドガイド（下方ガイドアーム）
３４    上方バンドガイド（上方ガイドアーム）
３５    端部
３６    長穴状の開口部
３７    反対側の端部
３８    ピン（またはボルト）
４０    皿座金
１１６    ハンドル
１１８    カムプレート
１２０    カムセクション
１３０    内壁（可動内壁部分、可動部分）
１３４    上方バンドガイド（上方ガイドアーム）
１３５    端部
１３６    長穴状の開口部
１３７    反対側の端部
１３８    ピン（またはボルト）
Ｓ    バンド（バンド材料）
【図１】
2011507770.tif 000003
【図２】
2011507770.tif 000004
【図３】
2011507770.tif 000005
【図４】
2011507770.tif 000006
【図５】
2011507770.tif 000007
【図６】
2011507770.tif 000008
【図７】
2011507770.tif 000009
【図８】
2011507770.tif 000010
【図９】
2011507770.tif 000011
【図１０】
2011507770.tif 000012
【図１１】
2011507770.tif 000013
【図１２】
2011507770.tif 000014
【国際調査報告】
2011507770.tif 000015
2011507770.tif 000016